(57)【要約】【目的】遊技盤の前面に揃えて設けるレンズ体に光源の光を均一に拡散した状態で照射できるようにした装飾用、表示用のランプ装置を提供する。【構成】遊技盤（１）には光透過用の貫通孔（１３ａ）を開設し、その前面側の開口部にレンズ体（１２）を付設する。一方、遊技盤（１）の背後には光源の収納室（３０）を設けて前記貫通孔（１３ａ）の背面側の開口部に臨ませ、上記収納室（３０）に備える光源（３２）からの光を前記貫通孔（１３ａ）を通して前記レンズ体（１２）に照射するようにする。【選択図】        図７
2006180922.tif 000002
【特許請求の範囲】
【請求項１】
遊技盤に光透過用の貫通孔を開設し、該貫通孔の前面側の開口部乃至その近傍に該貫通孔を塞いでレンズ体を付設する一方、前記遊技盤の背後には上記貫通孔の背面側の開口部に臨ませて光源の収納室を形成し、該収納室に収納する光源からの光を前記貫通孔を透過して前記レンズ体に照射することを特徴としたパチンコ機の装飾用，表示用のランプ装置。
【請求項２】
請求項１の記載において、前記レンズ体は貫通孔の前面側の開口部に装着すると共に、該レンズ体の前面を遊技盤の前面と同一面に揃えることを特徴としたパチンコ機の装飾用，表示用のランプ装置。
【請求項３】
請求項１又は２の記載において、前記光源の収納室は貫通孔に向けて開放する箱形に形成し、該箱形の底部に光源の配線基板を固定する取付部を備えてなることを特徴としたパチンコ機の装飾用，表示用のランプ装置。
【請求項４】
請求項３の記載において、箱形に形成される収納室は遊技盤背面に設備される入賞球誘導室と一体に形成することを特徴としたパチンコ機の装飾用，表示用のランプ装置。
【請求項５】
請求項１乃至４の記載において、収納室は合成樹脂を材料に成形することを特徴としたパチンコ機の装飾用，表示用のランプ装置。
【請求項６】
請求項５の記載において、合成樹脂製の収納室には遊技盤背面部に付設する入賞球通路を一体に形成することを特徴としたパチンコ機の装飾用，表示用のランプ装置。
【請求項７】
請求項１乃至６の記載において、貫通孔には内部にレンズ体の背面に対面させて光源からの光を拡散する光拡散用のレンズ体若しくはスクリーンを配置してなることを特徴としたパチンコ機の装飾用，表示用のランプ装置。
【発明の詳細な説明】
【技術分野】
【０００１】
本発明は、パチンコ機の遊技盤に設置される装飾用乃至表示用に使用されるランプ装置に関する。
【背景技術】
【０００２】
パチンコ機の遊技盤には各種装飾用乃至表示用に使用されるランプ装置が設置されている。
このランプ装置は入賞球が飛入したとき、或は入賞球の飛入によって設置する遊技の役が成立したとき等に点灯したり点滅して、入賞球があったことを、或は設定する遊技の役が成立して大規模な入賞条件が整ったこと等を表示し、遊技者に告知し、また視覚的な満足感を与えるべく使用されている。
【０００３】
ランプ装置の多くは遊技盤面に設置される入賞装置や、可変表示装置の内部に組込まれてこれら装置と連動する状態で点灯，点滅するものとなっているが、遊技盤を装飾するものは単独で設置されることが多い。
一般にその多くは遊技盤のレールで囲まれる遊技部の外、つまり周辺部に設置されるが、遊技部の内側にも設置されており、この場合には遊技部の中央部に設置される入賞装置や可変表示装置を避けてレールに沿った左右の側部やその下方の部分に設けられることが多い。
【０００４】
通常、ランプ装置は表面をレンズ体に形成した半透明のプラスチック製のカバーで被ったケースの中にランプを収め、このランプの点灯，点滅を上記カバーを通して視覚させるようにしてある。そして遊技盤に対しての取付けは前面側からケースを添わせ、このケースに備える取付基板をビス止めする等して止着している。
従って、一般にランプ装置は遊技盤から突出した状態で設置されることになり、このためパチンコ球が通過する遊技盤の中央部付近に設置することは勿論のこと、周辺部でも通過領域、例えばアウト球口が設けられる遊技部下部の打球の集中落下領域には設置することが困難であり、実際には設置できない状況にある。
【０００５】
ランプ装置は、表面のレンズ体の背後に光源となるランプを備えることから、遊技盤の表面側にケースを設置すれば、レンズ体、つまりレンズ体を形成するカバーが遊技盤面から突出して打球の落下を妨げる障害物となることは避けられないことになる。
【０００６】
従来、この問題を解決する一つの方法として、底板の上面にパチンコ球の誘導路を形成する２条の側板を起立し、その一方、底板の下面に内部に表示器、つまりランプを格納するケースを設けて、このケースを遊技盤に開設する透孔に嵌め入れ、上記底板を遊技盤の前面と同一面に揃えてこの遊技盤の前面に沿って流下する打球を前記誘導路に受け入れ誘導し、同時に、前記底板に開設する前記表示器用の孔を通して光を上記誘導路を通過する打球に当て、飾るようにした装置が特許文献１によって提案されている。
【特許文献１】特許第２７７３０３５号公報。明細書段落０００７〜０００９、図面の図１，図５，図８。
【０００７】
上記特許文献１に係る従来例は、底板を遊技盤の前面と同一面に揃えることからこの底板の前面を誘導路に沿って打球が通過し、この通過球を背後のケース内に備える表示器によって照射できるものとなっているが、しかし底板は表示用の小孔を通して光を球に当るもので、レンズ体とは異なるばかりかレンズのように光を広く拡散させて装飾することができない。
しかも、ケースに収められる表示器は小さな孔を通して光を前方に届ける必要があることから、図示されるように前記底板の背面に近接して設けられるものとなっており、広く底板の全体を通して前方に光を拡散照射するレンズの機能をここに求めることはできないものとなっている。
【発明の開示】
【発明が解決しようとする課題】
【０００８】
本発明は、表面にレンズ体を有し、このレンズ体を通してその背後に備える光源の光を前方に拡散照射して明瞭に光源の点灯，点滅を表現するランプ装置であって、上記レンズ体を遊技盤の前面に揃え、このレンズ体の前面を打球の通過が可能になるようにする一方、レンズ体に対する前記光源から光の照射を拡散した状態で、しかも均一な照射が得られる装飾用の、或は表示用に使用されるランプ装置を提供しようとするものである。
【０００９】
特に本発明は、装飾用，表示用のランプ装置として使用される際に、遊技盤の前面を落下する打球の障害物にならないようにすると共に、前記従来例の如く誘導路を通る球を照す限られた狭い範囲の照明に止まることなく広い範囲について、即ち大型のレンズ体に対して均一な拡散した光を照射できるようにしたランプ装置を提供しようとするものである。
【課題を解決するための手段】
【００１０】
上記目的を達成するため、本発明は遊技盤に光を通すための透過用の貫通孔を開設し、この貫通孔の前面側の開口部にレンズ体を付設し、このレンズ体表面と遊技盤前面とを揃えて遊技盤の前面に沿って落下する打球の障害とならないようにする一方、前記遊技盤の背面側には前記貫通孔の背面側の開口部に臨んで光源の収納室を形成し、この収納室内部に収める光源と前記レンズ体との間に所要の距離を設けて上記光源からの光を前記遊技盤に形成する前記貫通孔を通して前記レンズ体に拡散し、且つ均一にした状態で照射できるようにしたランプ装置を提供するものである。
【００１１】
更に本発明を詳述すると、その特徴とするところは、遊技盤に光透過用の貫通孔を開設し、該貫通孔の前面側の開口部乃至その近傍に該貫通孔を塞いでレンズ体を付設する一方、前記遊技盤の背後には上記貫通孔の背面側の開口部に臨ませて光源の収納室を形成し、該収納室に収納する光源からの光を前記貫通孔を透過させて前記レンズ体に照射することを特徴としたパチンコ機の装飾用，表示用のランプ装置を提供することにある。
【００１２】
また本発明は、前記レンズ体は貫通孔の前面側の開口部に装着すると共に、該レンズ体の前面を遊技盤の前面と同一面に揃えることを特徴としたパチンコ機の装飾用，表示用のランプ装置を提供することにある。
【００１３】
また本発明は、前記光源の収納室は貫通孔に向けて開放する箱形に形成し、該箱形の底部に光源の配線基板を固定する取付部を備えてなることを特徴としたパチンコ機の装飾用，表示用のランプ装置を提供することにある。
【００１４】
また本発明は、箱形に形成される収納室は遊技盤背面に設備される入賞球誘導室と一体に形成することを特徴としたパチンコ機の装飾用，表示用のランプ装置を提供することにある。
【００１５】
また本発明は、収納室は合成樹脂を材料に成形することを特徴としたパチンコ機の装飾用，表示用のランプ装置を提供することにある。
【００１６】
また本発明は、合成樹脂製の収納室には遊技盤背面部に付設される入賞球通路を一体に形成することを特徴としたパチンコ機の装飾用，表示用のランプ装置を提供することにある。
【００１７】
また本発明は、貫通孔には内部にレンズ体の背面に対面させて光源からの光を拡散する光拡散用のレンズ体若しくはスクリーンを配置してなることを特徴としたパチンコ機の装飾用，表示用のランプ装置を提供することにある。
【００１８】
上記本発明におけるレンズ体及び光源の収納室は、その成形性と製造費用の上から最も合成樹脂を材料に成形し製造することが有利である。しかし、その他の材料、例えばレンズ体について、通常のレンズと同様にガラスであってもよい。
このレンズ体は貫通孔の前面側の開口部に装着することから、レンズ体の周縁部に貫通孔の内壁面に係止する係止手段を一体に設けておくことが有利である。一つの選択としてレンズ体の周縁部に貫通孔の内壁面に適合した装着用筒部を形成し、この筒部の嵌合によって装着するようにすると適切に、且つ容易にレンズ体を装着することが可能になる。
【００１９】
上記装着用筒部は、レンズ体の装着に併せて拡散用レンズ体の装着手段として利用することも可能である。
拡散用レンズ体は光源の光を分散し、レンズ体に対して均一に拡散させて照射斑を解消するものとして介挿されるが、この装着用筒部による拡散用レンズ体の装着は取付けが容易になるばかりか、レンズ体に近接して、しかも一定位置に固定できるため有利に作用することになる。尚、この拡散用レンズ体は複数の光源によって大型のレンズ体を照射する場合、光斑を解消し、レンズ体が均一に光を受けることになるため大きな効果を挙げることになる。
【００２０】
一方、貫通孔の後方に臨んで設けられる光源の収納室は、遊技盤の背後に取付いて内部に収納する光源と前記レンズ体との間に光を拡散させるに必要な距離を設けるもので、この内部には従って光源を固定する取付手段が設備される。
光源については種類を特定されないが、耐久性や電力の消費量からＬＥＤ発光体が適しており、この場合には固定する上記取付手段としてはこのＬＥＤを植設するプリント基板の取付台が設備されることになる。
【００２１】
この収納室は単独に成形する場合と、遊技盤の背面側に送られる入賞球を集め誘導する入賞球誘導室と組合せて一体に成形する場合とがある。
入賞球誘導室は、所謂セット板と称され、通常合成樹脂を材料に前面に入賞球の誘導路を形成する浅い箱形に形成されるが、収納室を一体に成形する場合は、この一部に前記収納室を拡張するなどして形成し、その内部に光源を備えるようにするのである。
【００２２】
ところで、上記収納室は照射するレンズ体の大きさや、光の強さ等によって適正な光源の位置が決められることに基き後方に向けて室の深さが決定されることになる。本発明においては、遊技盤の後部にはこれに対応する充分な空間が存することから、この収納室については必要な深さの設計が可能であり、レンズ体及び光源に合せた深さの収納室を制約を受けることなく形成することが可能である。    
【発明の効果】
【００２３】
以上のことから、上記本発明によれば、遊技盤の前面に揃えてレンズ体を設備することにより遊技盤面を落下する打球がこれに衝突し、落下を妨げられることがないので、打球の落下通路となる場所にランプ装置を設置することができることになる。
また、このレンズ体に照射される光は、遊技盤の背後に備える収納室に収納する光源からの光であり、レンズ体との間に充分な拡散のための距離が確保されることから均一に拡散した、しかも安定した光を受けることができ、従って光斑のない美麗な光を発することができる。
【００２４】
また更に、この様に光源からの光を均一に拡散できることに併せて、前記距離を確保できることから光源とレンズ体との間に拡散レンズ体の介挿が可能となり、更に安定した光をレンズ体に照射することができる。
そして、この光の均一化が計れることから大型のレンズ体に対する照射が可能であり、これに基づいて装飾用，表示用のランプ装置の大型化が計れることになる。
次に、本発明を実施の形態に基づき更に詳述し、その特徴とするところを明らかにする。
【発明を実施するための最良の形態】
【００２５】
添付の図面は、本発明に係るランプ装置の実施形態を示したものである。図１は遊技盤の一部省略した正面図であり、図２は遊技盤の本体となるベニア板の正面図、図３は遊技盤の背面に一体に付設される入賞球誘導室の正面図である。
ここに示される遊技盤１は、所謂分離式パチンコ機におけるパチンコ機本体に対して着脱自由に装着される遊技盤であり、この遊技盤１の前面には周縁部に沿って中央部を囲むようにバンド２を付設し、遊技部３を形成しており、左方下端から図示しない発射装置により打ち出される打球を内外のバンド２ａ，２ｂ部分によって形成される誘導通路４を通してこの遊技部３に受け入れるようにしてある。
【００２６】
上記遊技部３の中央部には、図示しない液晶画面を備える可変表示装置を装着するための大型の透孔５が開設してある。この透孔５の中央部直下に始動用入賞口６を、その左右に通過口７，７を、そしてこれらの入賞口６，７の直下に開閉する扉８を備えた所謂大入賞口である可変入賞装置９を設けている。
【００２７】
そして、上記遊技部３には中央部に沿って縦に配置される上記各入賞口６，７，８を挟んで左右対称形にレンズ体１０を一体に備える入賞口１１と、レンズ体１２を一体に備える入賞口１３を設けている。
【００２８】
上記各入賞口６，７，９及び入賞口１１，１３は前記透孔５と同様に遊技盤１の本体を構成するベニア板１ａに穿つ透孔に対応して取付けられるもので、図２にはこのベニア板１ａに開設される各透孔を示している。
図面の透孔６ａは、前記始動用入賞口６のための透孔である。そして、透孔７ａ，７ａは通過口に設けられる検出スイッチを取付るためのものであり、また透孔９ａは大入賞口９のための透孔である。そして更に、透孔１１ａと透孔１３ａはレンズ体１０，１２を有する入賞口１１と１３のための透孔である。
【００２９】
上記それぞれの入賞口６，７，９，１１，１３は、それぞれに設ける鍔状に張り出す取付基板を遊技盤１の前面に添わせ、ビス止めすることで固定され、各透孔に連通させる一方、遊技盤面から突き出た状態で取付くことになる。
この中で、レンズ体１０と一体をなす入賞口１１と、レンズ体１２と一体をなす入賞口１３は各平面状に形成し、それぞれの開口部１４，１５を各レンズ体１０，１２の表面上突出して形成してある。
【００３０】
ここにおける上記レンズ体１０と１２は、本発明に係るランプ装置のレンズ体である。入賞口１１，１３はこのレンズ体１０，１２を配置する位置に配置すべく用意された入賞口であり、両者の接近から一体のものとして成形したものである。このレンズ体１０，１２と入賞口１１，１３とは成形性，取扱いの容易性からここではこの様に一体成形しているが、別体にして個別に取扱えるようにすることを妨げるものではない。むしろレンズ体に近接させて入賞口を設置する場合以外は一体的な成形は支障をきたすこともある。
【００３１】
さて、このレンズ体を備えた入賞口１１，１３につき更に詳述すると、レンズ体１０を備えた入賞口１１は、平面状に形成されるレンズ体の周縁部に張り出すように形成する取付基板１６の一部に接続して一体化してあり、その開口部１４をこの取付基板１６及びレンズ体１０の表面から突き出すようにしてある。そして、レンズ体１０の周縁部下面に前記透孔１１ａの内壁面に添わせる装着用筒部１７を延設して、この装着用筒部１７を遊技盤１に開設する透孔（貫通孔）１１ａに突き入れ、上記取付基板１６を遊技盤の前面に当接し、これをビス止めすることで取付けられるようにしてある。
【００３２】
上記入賞口１１は、開口部１４に続けて放出樋１８を後方に向けて延設し、この放出樋を上記装着に併せて透孔１１ａに突き入れ、遊技盤１の背後に設けられる後述する入賞球通路に接続させるようにしている。
【００３３】
一方、入賞口１３は、上記同様に平面的に形成されるレンズ体１２の周縁部に沿って形成される取付基板１９に一部を接続させることによって一体化してあり、その開口部１５を上記取付基板１９及びレンズ体１２の表面上に突出させてある。そしてレンズ体１２の周縁部下面に装着用筒部２０を延設し、この装着用筒部２０を前記透孔１３ａに挿入してその内壁面に添わせる一方、取付基板１９を遊技盤１の前面に添わせてビス止めし、装着するようにしてある。
【００３４】
この入賞口１３にも前記開口部１５に続く放出樋２１が後方に向けて延設してあり、前記遊技盤に対する装着の際、透孔１３ａに通してその後端を後述する入賞球通路に接続できるようにしてある。
【００３５】
尚、ここにおける透孔１１ａ，１３ａはそれぞれレンズ体１０，１２を備える入賞口１１，１３の入賞球を遊技盤後方へ送り込むための通路となっているが、同時にこの透孔１１ａ，１３ａはレンズ体１０，１２に対し、後方に備える光源からの光を透過させるための貫通孔の役をなしており、そのためこの透孔１１ａ，１３ａはレンズ体１０，１２に合せた大きさと形状に形成してある。
【００３６】
入賞球誘導室２２は前記遊技盤１の背面に付設して前記各入賞口６，９，１１，１３からの入賞球を受け入れ、これを誘導するためのもので、浅い箱形に形成して前記遊技盤に設ける入賞口の全体を背後からカバーできるようにしてある。そして、上記入賞口からの入賞球を下辺の誘導壁２３を通して検出スイッチ（図示せず）を装備する入賞球通路２４に誘導し、系外に送り出せるようにしてある。
【００３７】
図中、２５は前記入賞口１１に入賞した入賞球を放出樋１８を通して受け入れる前記誘導室とは独立して設けた入賞球通路であり、また２６は前記入賞口１３の放出樋２１に接続してこの入賞口１３に入賞した入賞球を受け入れるため同じく誘導室とは独立させて形成した入賞球通路である。
【００３８】
そして、２７は前記透孔１１ａの背面側の開口部に対面させて形成した光源を収納するための収納室であり、２８は光源として準備されるＬＥＤ２９を前面に装備した配線基板である。また３０は透孔１３ａの背面側開口部に対面させて形成した収納室であり、３１は前面にＬＥＤ３２を装備した配線基板である。
【００３９】
上記２つの収納室２７，３０は、ここでは入賞球誘導室２２に続けて一体に設けるものとしているが、この一体的成形はレンズ体１０，１２と入賞口１１，１３とをそれぞれ一体に形成し、入賞した入賞球を他の入賞口の入賞球と同様に入賞球誘導室２２を介して処理しようとしたことによるもので、別体として独立した収納室の形成を妨げるものではない。
【００４０】
ここにおける各収納室２７，３０はそれぞれの入賞球通路２５，２６と共に入賞球誘導室２２の誘導壁２３の下方に誘導室２２を拡大する方法を採って一体的に形成してある。そして、これらの収納室２７，３０はそれぞれ透孔１１ａ，１３ａに対応させると共に、前記レンズ体１０，１２に対応して設けてある。
またこれらの内部に収められる配線基板２８，３１は、収納室の底部に設ける取付ボックス（取付部）にビス止めすることによって固定し、その前面に備える光源たるＬＥＤ発光体２９，３２をレンズ体１０，１２に対面させるようにしてある。
【００４１】
図６は遊技盤の本体となるベニア板１ａと、このベニア板１ａの前面側から装着される入賞口１１，１３を設けてなるレンズ体１０，１２と、背面側から装着される入賞球誘導室２２とを分解して示した縦断右側面である。また図７はベニア板１ａを中心にして前後からレンズ体１０，１２、入賞球誘導室２２を添わせ組付けた縦断右側面図である。
【００４２】
上記組付けによって明らかであるように、レンズ体１２は遊技盤の透孔１３ａを挟んで収納室３０と対向し、その光源のＬＥＤ３２と向き合うことになる（尚、図６，図７においては透孔１１ａを介してレンズ体１０と収納室２７との向き合いを省略している。）。
そして、この両者は透孔１３ａを間に介在し、且つ収納室３０の深さによって所要の間隔を置いて対向することになり、ＬＥＤ３２からの光を拡散させた状態でレンズ体１２に照射することができるようにしてある。
【００４３】
図中３３は、上記レンズ体１２と光源となるＬＥＤ３２との間に介挿した拡散レンズ体である。
このレンズ体３３は、レンズ体１２の背面に設ける装着用筒部２０に嵌装させてレンズ体１２の全体に均一に光を照射するもので、図示するように複数個のＬＥＤにより照射する際、光の分散が計られ効果を挙げるものとなる。
【００４４】
以上、本発明に係るランプ装置を図面の実施形態に基いて説明したが、遊技盤１に装着されるレンズ体１０，１２はいずれもこの遊技盤の前面に揃えて同一面をなし、且つ何も突出するものを備えないことから、盤面を落下する打球Ａは何の障害もなくこのレンズ体１０，１２の表面、つまり前面を通過することができる。
従って、この様に当該ランプ装置が打球の障害とならないことから自由に設置位置を選択することが可能であり、同時に、当該実施の形態におけるように大入賞口９の両側方の狭く、且つ最も打球の通過の激しい領域に対しても設置することができることになるのである。
【００４５】
そして本発明ランプ装置は、設置位置の制限から解放されることに併せて、当該実施形態におけるように、レンズ体と入賞口とを一体にして両者の接近を可能にするため、この入賞口の装飾手段として或は入賞を表示する表示手段として利用することができ、従来にない変化に富んだ遊技盤を提供することができる。
【００４６】
その一方、上記レンズ体を背後から照らす光源は透孔、即ち遊技盤に開設する透孔を通して更に後方に設備する収納室に収納され、レンズ体と充分な距離を確保することができることから、光の充分な拡散が得られ、レンズ体全体に均一な光を照射し、美麗に発光させることができる。
【００４７】
また上記収納室は成形によって深さを選択することが可能であることからレンズ体に対する距離を自由に設定することができ、最も適した光の照射を実現できると共に、中間に拡散レンズ体、或は光拡散用のスクリーン等を介挿する際は、この介挿の空間を自由に設定することができることになる。
【００４８】
尚、実施に当って前記収納室３０とセーフ球通路２６とを独立に設けることなく、前述のように入賞球誘導室２２の下方に一体に備える場合は、入賞球通路２６の設置場所が制約されることになる。この場合の対策としては収納室３０の背面側に入賞球通路２６を迂回させ、立体化すればよく、設置空間を確保することができる。勿論、この場合合成樹脂を材料としたとき、収納室３０と入賞球通路２６とが前後２段に重なることから成形時には通路２６の壁部を押切りによる一体成形法を以て成形することになる。
【図面の簡単な説明】
【００４９】
【図１】遊技盤の正面図。
【図２】遊技盤本体となるベニア板の正面図。
【図３】入賞球誘導室の正面図。
【図４】遊技盤の分解斜視図。
【図５】図４の要部の拡大図。
【図６】遊技盤を分解した縦断右側面図。
【図７】遊技盤の縦断右側面図。
【図８】入賞球誘導室の部分拡大正面図である。
【符号の説明】
【００５０】
１                遊技盤
１０，１２        レンズ体
１１，１３        レンズ体に一体に形成した入賞口
１１ａ，１３ａ    遊技盤に形成する貫通孔たる透孔
１７，２０        装着用筒部  
１８，２１        誘導樋
２５，２６        入賞球通路
２７，３０        収納室
２８，３１        配線基板
２９，３２        光源たるＬＥＤ発光体
３３              拡散レンズ体
【図１】
2006180922.tif 000003
【図２】
2006180922.tif 000004
【図３】
2006180922.tif 000005
【図４】
2006180922.tif 000006
【図５】
2006180922.tif 000007
【図６】
2006180922.tif 000008
【図７】
2006180922.tif 000009
【図８】
2006180922.tif 000010